(57)【要約】【目的】  遊技盤の前面に設けられる遊戯領域の打球落下のための通過領域を狭めることなく遊技領域の略中央部に設置される画像表示装置の表示画面の大型化を図ること。【構成】  遊戯盤（１）に開設する覗き窓（６）に対してその後方の開口部を囲んで遊技盤（１）の背面側に取付枠体（１４）を設け、この取付枠体（１４）を介して前記覗き窓（６）の後方に所要の距離を置いて該覗き窓の口径より大型の表示画面（５）を有する画像表示装置（４）を設置し、上記覗き窓（６）を通して視認可能にする。【選択図】        図３
2006255052.tif 000002
【特許請求の範囲】
【請求項１】
遊技盤の前面中央部に画像表示装置の表示画面を設置してなるパチンコ遊技機において、前記遊技盤の前面中央部に覗き窓を開設する一方、該遊技盤の背面側に取付枠体を設け、該取付枠体を介して前記覗き窓の後方に画像表示装置を設置し、所要の距離をおいて該覗き窓の開口部の口径より大型の表示画面を臨ませ、該覗き窓を通して前記表示画面の全面を視認可能にしてなることを特徴としたパチンコ遊技機。
【請求項２】
請求項１の記載において、画像表示装置の表示画面は覗き窓の開口部の口径より大型であると共に、該表示画面の左右の端縁が前記覗き窓を通して遊技者の左右いずれかの目によって視認可能な範囲にあることを特徴としたパチンコ遊技機。
【請求項３】
請求項１又は２の記載において、取付枠体は覗き窓の背面側の開口部を囲んで設置されることを特徴としたパチンコ遊技機。
【請求項４】
請求項１乃至３の記載において、取付枠体は覗き窓の背面側の開口部と画像表示装置の表示画面の全周を囲む筒形に形成し、前記表示画面の前面空間部と遊技盤背面側のその外の空間部とを遮断することを特徴としたパチンコ遊技機。
【発明の詳細な説明】
【技術分野】
【０００１】
本発明は、遊技盤の前面中央部に画像表示装置を備えてなるパチンコ遊技機に関する。
【背景技術】
【０００２】
遊技盤の前面中央部に画像表示装置の表示画面を設置するパチンコ遊技機において、表現の幅を広げ、迫力を高める上から表示画面の大型化が計られている。
通常、画像表示装置の表示画面は、遊技盤の前面に形成される遊技領域の中央部やゝ上部に窓を開設し、この窓に嵌め込むようにして設置される例が多く、遊技領域に打込まれた打球はこの表示画面を避けるようにしてその左右の空間に誘導され、表示画面の設置位置の左右から下方にかゝる遊技領域に設置される入賞口に向けて落下するように設定されている。
【０００３】
また、この画像表示装置を備えるパチンコ遊技機は、この表示装置を起動させるための始動入賞口を表示画面の中央部直下に備えており、表示画面の前記左右の空間を通して落下する打球を表示画面の側縁部に沿って適宜配置植設される釘列群を誘導手段にして、或は表示画面の下部前面に設ける所謂ステージと称される誘導用の球受台を通して導き、この始動入賞口への飛入を計るようにしている。
【０００４】
この様なことから、遊技盤に表示画面を設置する場合、遊技領域が限られる中にあって表示画面の左右側方に打球を通すための空間を確保しようとすると、この遊技領域の形成が表示画面の大型化の制約になり、一つの限界をもたらすものとなる。
また、表示画面を大型化すると、この画面の中央部の直下に設置する前記始動入賞口の位置が前記釘列群の勾配、つまり打球を誘導するため植設する多数の釘の配列勾配を確保する関係から下方に下げなければならなくなり、これに伴って表示画面の下方に設置される大入賞口を始めとする他の入賞口の設置空間が狭くなり、結果的に遊技盤の設計を困難にする問題が生じる。
【０００５】
従来、遊技盤に設置する画像表示装置の表示画面は、前述した様に遊技盤に開設する窓の後方から取付台を介して臨ませ、遊技盤前面から窓を通して視認できるようにする取付け方法、或は例えば特許文献１に記載される方法によって設置する方法によって設置されているのが一般的である。
【特許文献１】特開平１０−１６５５６５号公報
【０００６】
上記特許文献１の記載による表示画面の支持方法、つまり取付台を介して窓の後方から表示画面を臨ませる構造は現在最も一般的な支持方法となっているが、この表示画面の支持方法は、特許文献１に記載される通り、遊技盤１３に開設する開口部２４の後方から臨ませる表示装置１７の画面４０を遊技盤１３の背面に設ける取付台２６を以て支持し、その一方、遊技盤の前面から上記開口部２４に表示窓枠２５を嵌め付けてこの表示窓枠２５で前記画面４０の周縁を飾ると共に、この表示窓枠２５を通して遊技盤の前面側から上記画面４０を覗くことができるようになっている。
【０００７】
この特許文献１における表示装置の支持方法は、表示窓枠２５を通して遊技盤前面から後方に後退した画面４０を覗くことによって立体感のある設定を可能にしているが、しかし、表示装置の画面４０を大型化して迫力ある画像を提供するものとはなっていない。
つまり、図２や図３に示されるように画面４０は表示窓枠２５に囲まれていることにもよるが、遊技盤１３に開設した開口部２４の広さの範囲内に収まるものにしてあり、この開口部２４の開口面積を超えて更に大型の画面とはされていないのである。
【発明の開示】
【発明が解決しようとする課題】
【０００８】
本発明は、上述した事情に鑑み、遊技盤に開設される画像表示装置の表示画面を設置するための覗き窓を、遊技盤上に最大口径に開設した上で、これより大径な表示画面を有する画像表示装置の設置を可能とするもので、これにより実質的に表示画面の大型化を可能にしたパチンコ遊技機を提供しようとするものである。
【０００９】
前述したように、遊技盤の遊技領域内に画像表示装置を設置する場合、表示画面を臨ませる開口部（覗き窓）の左右の側部に打球を誘導する空間を確保する上からこの開口部の大きさはこの空間を残した大きさに制約されることになる。従って、表示画面はこの開口部の大きさを限界に設計されることになり、それ以上の大型化は不可能になっていたが、本発明は、上記限界となる大きさの開口部、つまり覗き窓の口径を超えた大きさの表示画面の組付けを可能にして、これの大型化を可能にしたパチンコ遊技機を提供しようとするものである。
【課題を解決するための手段】
【００１０】
本発明は、上述の目的を達成するため、遊技盤の前面中央部に画像表示装置の表示画面を設置してなるパチンコ遊技機において、前記遊技盤の前面中央部に覗き窓を開設し、その一方、該遊技盤の背面側に取付枠体を設け、該取付枠体を介して前記覗き窓の後方に画像表示装置を設置し、所要の距離をおいて該覗き窓の開口部の口径より大型の表示画面を臨ませ、該覗き窓を通して前記大型の表示画面の全面を視認可能にしてなることを特徴としたパチンコ遊技機を提供することにある。
【００１１】
前記遊技盤に開設する覗き窓は、その両側部に打球を通過誘導するに充分な空間を確保できる大きさを限界にして、左右間の幅員を最大限にした開口部として形成することになる。そして、この覗き窓の大きさは、実質的に従来の表示画面を臨ませるため開設する開口部において開設が可能な最大口径の開口部に等しいものとなり、この後方に設置される表示画面は、更にこの開口部の大きさを超えたものとなる。
【００１２】
また本発明は、前記画像表示装置の表示画面は覗き窓の開口部の口径より大型であると共に、該表示画面の左右の側縁部が前記覗き窓を通して遊技者の左右いずれかの目によって視認可能な範囲にあることを特徴としたパチンコ遊技機を提供することにある。
【００１３】
前記表示画面は、画像表示装置を取付枠体を介して遊技盤の背後に取付けることによって前記覗き窓の後方に所要の距離を隔てゝ設置されることになる。そのため、この表示画面は覗き窓を通して遊技者が遊技盤の前面側から覗いたとき、遊技者の右眼が覗き窓の左縁部を限界にしながら斜め左方に向けて視界を広げ、また左眼が覗き窓の右縁部を限界にして同じく斜め右方に向けて視界を広げて、覗き窓の開口面積を超えた広さの範囲を視界範囲に収めることになることから、上記覗き窓の開口面積より大型に形成されても、その全面を視認することが可能となるのである。
【００１４】
上記表示画面の上縁部と下縁部についても、この表示画面が覗き窓の後方に後退して設置されることにより、視界が覗き窓の広さを超えて広がることから覗き窓の上下間の幅員より広く形成される表示画面の上下の側縁部を視界に収め視認することが可能となる。
【００１５】
また本発明は、前記取付枠体について、前記覗き窓の背面側の開口部と画像表示装置の表示画面の全周を囲む筒形に形成し、前記表示画面の前面空間部と遊技盤背面側のその外の空間部とを遮断してなることを特徴としたパチンコ遊技機を提供することにある。
【００１６】
前記取付枠体を筒形に形成することによって、遊技盤の覗き窓と表示画面を囲み、この両者間の空間とこの空間を取り巻く周囲の遊技盤背面側における空間とを隔てて表示画面の側方からの光の侵入を断ち、画面の鮮明度を確保するようにしたことにある。
【００１７】
尚、本発明において、覗き窓は遊技盤内においてその前面の遊技領域に開設されるに当り、前述した通り、覗き窓の側方部には打球を通過誘導するための空間が確保されることになるので、この空間領域に打球を誘導する釘の植設が可能になる。
従って、この領域から表示画面の中央部直下に設けられる始動入賞口に至る誘導釘列の形成が従来と同様に自由になり、また覗き窓の下縁部が下方に向けて拡張されないことから同様に始動入賞口の設置位置が下がることがなく、大入賞口等の設置位置が窮屈になることがない。
【発明の効果】
【００１８】
従って、上述本発明によれば遊技盤に開設する覗き窓に対してこの覗き窓の開口面積より大型化した表示画面を組込むことが可能である。そして、覗き窓の左右側部に打球の通過空間を確保した上で最大限大型化した覗き窓に対して、この覗き窓の開口面積を更に超える大型の表示画面を組込んだ上において打球の誘導に全く支障のないパチンコ遊技機を提供することができるのである。
【００１９】
また本発明は、覗き窓の後方に後退させて画像表示装置の表示画面を設置し、しかもこの表示画面の左右の縁部を覗き窓の左右の側縁部を超えて左右に拡大するものとすることから遊技者の視覚に左右方向への広がりを感じさせることになり、この結果表示画面に左右方向に移動する動画を表示するようにした場合、画面の大型化に加えて更に迫力ある画像を提供することができ、遊技者の興趣を一層高めることができるものとなる。
【００２０】
ことに、画像表示装置による画像表示は遊技に密着した内容、例えば大当りを予告する画像等を表示して遊技を盛り上げることに利用されることから所定の信号が発せられたとき、表示画面を注視すると共に、接近して覗くことになるため覗き窓の奥に後退して、しかも大型化した表示画面を覗くことは遊技者に更なる迫力を与え、興趣をそえるものとなる。
【発明を実施するための最良の形態】
【００２１】
添付の図面は、本発明を実施する上での最良の実施形態を示したものである。以下、この実施形態に基づき、本発明を詳述し、その特徴とするところを明らかにする。
図１は、使用状態を示す遊技盤の正面図であり、図２は要部の拡大斜視図、図３は要部の中央横断平面図である。
【００２２】
図面において、１は遊技盤であり、２は遊技盤の前面の周囲に沿って円形状に配置した打球の誘導レールであり、３はこの誘導レール２によって囲まれ形成された遊技領域である。
上記遊技領域３の中央部には画像表示装置４の表示画面５を覗くための覗き窓６を開設し、この覗き窓６の内周縁に装飾のための飾り枠７を嵌め付けてある。
【００２３】
覗き窓６は、遊技領域３の中央部にあって遊技盤１を前後に貫通する穴になっている。  この覗き窓６の両側方には前記誘導レール２を案内にして該遊技領域３の上部に打込まれる打球を落下誘導する通過空間８，８が形成してあり、この通過空間８，８に覗き窓６の中央部直下に設置する始動入賞口９に向けて打球を誘導する多数本の障害釘を列設してなる釘列群１０と、この釘列群内に組込まれる風車１１とを有している。
【００２４】
前記飾り枠７は、覗き窓６の開口内周面とこの内周面の縁に臨む前面部分を被い隠すものであり、この飾り枠７が覗き窓６に装着されることにより覗き窓６の内径は実質的に飾り枠７の内径に等しいものとなる。
【００２５】
ここに示す上記飾り枠７は、覗き窓６のアーチ形の上縁に沿って上部７ａをアーチ形に形成し、ここに孤状の庇１２を前方に向けて突き出し、上方からの打球が覗き窓６の前面を通過するのを拒みながら両側方の前記通過空間８，８に向けて誘導されるようにしてある。そして、この飾り枠７の下部７ｂには前述したように覗き窓６の前面部分に沿って外向きに張り出す鍔１３を設け、覗き窓６の開口縁を被うようにしてある。
【００２６】
図中、１４は画像表示装置４を遊技盤１の背面部に固定するための取付枠体である。
この取付枠体１４は前記覗き窓６の後部開口部を囲む筒形に形成してあり、この筒の後端部に画像表示装置４を固定し、その前面に備える表示画面５を透明な保護板５ａを介して覗き窓６に向けている。
【００２７】
上記表示画面５は、図３に示したように覗き窓６の口径より大型であって、上下の幅、そして左右の幅は覗き窓６の上下の幅、左右の幅より大である。
ここにおける表示画面５は、図示するように遊技者Ａの覗き窓６を通しての視界に入る大きさ、即ち遊技者Ａの左右の眼のいずれかの視界に入る大きさであり、この結果該表示画面は実質的に覗き窓６の開口面積より大型のものとなっている。
【００２８】
つまり、前記取付枠体１４は、表示画面５を覗き窓６の後方に後退した位置に支持することで、覗き窓の開口面積より視界が拡大するのを利用してこの表示画面５の大型化を可能にしているのである。この結果、画面の大型化に伴い画像の精細さを高める画素数を増やすことが可能となることから遊技盤面から後退した後方位置に表示画面５が設置されても、また長時間見続けることになっても眼の疲労を軽減することができる。
【００２９】
ところで、図４は前記覗き窓６の内周面を加工することによって同一口径の窓において更に大型の表示画面の設置を可能にする例を示したもので、（ａ）図は内周面の後方の半分を切除して後方開口部を拡張した例であり、（ｂ）図は内周面を後方に向けて拡張するテーパー状に面取りして後方開口部を拡大した例である。
【００３０】
これらによると、前面側の開口部は同一の口径であっても遊技盤の板厚分を取り除くことができることから視界を拡張することができ、これに伴って更に表示画面の大型化を計ることができることになる。
【００３１】
尚、ここでは取付枠体１４は覗き窓６の形状に合せた略角筒形に形成し、その下方の筒壁部分を打球を遊転させるためのステージ１５としており、前記釘列群１０を誘導される間に跳ね上がった球をこのステージ上に受け入れられるようにしてある。
【００３２】
上記ステージ１５は、中央部が窪み、且つこの窪んだ中央部が前方に向けて下り勾配となる凹孤面形に形成してあり、略同一の凹孤面形に形成する前記覗き窓６の飾り枠７の下縁部１６に対して背後から衝き当て接続させてある。
【００３３】
このステージ１５には通過空間８，８を通して釘列群１０に落下した打球のうち、跳ね上がって覗き窓６に飛び込んだ球が乗ることになる。この球は孤状の曲面に誘導されて中央部に集り、更に前傾斜に案内されて下縁部１６に、そしてその直下に設けられる始動入賞口９に向けて転落するようにしてある。
尚、ステージ１５の中央部には上記始動入賞口９に連通する落下口１７を開設し、ステージ上の球がこれに転入したとき、自動的に始動入賞口９に入賞するようにしてある。
【００３４】
上記の構成から、取付枠体１４によって覗き窓６の後方に支持される表示画面５は、遊技者Ａの視界が覗き窓６を通した後方において拡張することから、この覗き窓６の開口面積を超える大型の画面であってもその全体を視野に収めることが可能になっており、従って従来にない大型の表示画面を有する画像表示装置の組込みを可能にするものであり、迫力ある画像のパチンコ遊技機を提供することが可能となる。
【００３５】
また、本発明パチンコ遊技機は、表示画面の大型化にもかゝわらず、覗き窓６の両側部には打球の通過空間８，８を確保するものであり、これにより打球の落下誘導、ことに覗き窓６の中央部の直下に設置される始動入賞口９に向けて打球を誘導する釘列群１０の植設領域を充分確保することができることから、打球を誘導する上において無理のない遊技盤面の設計が可能となる。
【００３６】
そして、このことに併せて、上記無理のない釘列群１０の配置が可能になることから、覗き窓６の直下に設置する始動入賞口９の位置を下げることもなく、従ってこの始動入賞口９の下方に設置される大入賞口等の他の入賞口の設置空間を狭めることがなく、表示画面の大型化にもかゝわらず、従来通りの配置が可能である。
【図面の簡単な説明】
【００３７】
【図１】使用状態を示す遊技盤の正面図。
【図２】要部の拡大斜視図。
【図３】要部の中央横断平面図。
【図４】覗き窓の内周面の横断面を示す拡大図であり、（ａ）は後半分を段状に拡張した場合、（ｂ）は後方開口部を拡張するテーパー面とした場合である。
【符号の説明】
【００３８】
１        遊技盤
３        遊技領域
４        画像表示装置
５        表示画面
６        覗き窓
７        飾り枠
８        打球の通過空間
９        始動入賞口
１０      釘列群
１４      取付枠体
１５      取付枠体の下枠部によって構成されるステージ
【図１】
2006255052.tif 000003
【図２】
2006255052.tif 000004
【図３】
2006255052.tif 000005
【図４】
2006255052.tif 000006